(57)【要約】【課題】さまざまな応用範囲を有する紐状のファスナを提供する。【解決手段】雌ファスナ部材（３Ａ）をところどころに有する第１紐と、雄ファスナ部材（４Ａ）をところどころに有する第２紐からなる紐状のスナップファスナ（１Ａ）である。好ましくは、前記第１紐における隣り合う前記雌ファスナ部材（３Ａ）同士又は前記第２紐における前記雄ファスナ部材（４Ａ）同士をつなぐ紐部分の幅が０．５〜３ｍｍ、長さが３〜５０ｃｍである。【選択図】図５
2014000473.tif 000002
【特許請求の範囲】
【請求項１】
雌ファスナ部材（３Ａ）をところどころに有する第１紐と、雄ファスナ部材（４Ａ）をところどころに有する第２紐からなる紐状のスナップファスナ（１Ａ）であって、
前記第１紐における隣り合う前記雌ファスナ部材（３Ａ）同士又は前記第２紐における隣り合う前記雄ファスナ部材（４Ａ）同士をつなぐ紐部分の長さが３〜５０ｃｍであることを特徴とする紐状のスナップファスナ（１Ａ）。
【請求項２】
前記紐部分の幅が０．５〜３ｍｍである請求項１記載の紐状のスナップファスナ（１Ａ）。
【請求項３】
前記紐部分の幅が０．５〜２ｍｍ、長さが５〜３５ｃｍである請求項１又は２記載の紐状のスナップファスナ（１Ａ）。
【請求項４】
前記紐部分の幅が０．５〜１．５ｍｍ、長さが５〜２０ｃｍである請求項１〜３のいずれかに記載の紐状のスナップファスナ（１Ａ）。
【請求項５】
雌雄ファスナ部材（３Ｂ，４Ｂ）をところどころに混在するように設けた第３紐（２Ｂ）からなる紐状のスナップファスナ（１Ａ）であって、
前記第３紐において、隣り合う前記雌雄ファスナ部材（３Ｂ，４Ｂ）同士の間の紐部分の長さが３〜５０ｃｍであることを特徴とする紐状のスナップファスナ（１Ｂ）。
【請求項６】
前記紐部分の幅が０．５〜３ｍｍである請求項５記載の紐状のスナップファスナ（１Ｂ）。
【請求項７】
前記紐部分の幅が０．５〜２ｍｍ、長さが５〜３５ｃｍである請求項５又は６記載の紐状のスナップファスナ（１Ｂ）。
【請求項８】
前記紐部分の幅が０．５〜１．５ｍｍ、長さが５〜２０ｃｍである請求項５〜７のいずれかに記載の紐状のスナップファスナ（１Ｂ）。
【請求項９】
１本の前記第３紐（２Ｂ）を１カ所で折り曲げて、一対の紐として使用する請求項５〜８のいずれかに記載の紐状のスナップファスナ（１Ｂ）。
【請求項１０】
２本の前記第３紐（２Ｂ）を一対の紐として使用する請求項５〜８のいずれかに記載の紐状のスナップファスナ（１Ｂ）。
【発明の詳細な説明】
【技術分野】
【０００１】
本発明は、紐状のスナップファスナに関する。紐状のスナップファスナは、雌雄ファスナ部材が紐で連結されているファスナであり、衣類やかばん、靴など幅広い応用分野を有する。
【背景技術】
【０００２】
紐状のスナップファスナはさまざまなものが公知である。例えば、実開昭５０−１７１０２号、実公昭５２−３６６４７号、実開昭５４−３７３０２号、意匠登録第４５７６６５号、意匠登録第４７２３４５号、意匠登録第５１０４７７号、意匠登録第５１０４７８号、意匠登録第５１０４３０号、意匠登録第５１０４３１号、等である。
【０００３】
これらの従来技術では、雌雄ファスナ部材がごく短い紐によって連結されている。前記従来技術の図面を見ると、紐の長さは、雌雄ファスナ部材の直径よりも短いものがほとんどであり、一番長いもの（実開昭５４−３７３０２号）でも雌雄ファスナ部材の直径の約１．３倍である。
【先行技術文献】
【特許文献】
【０００４】
【特許文献１】実開昭５０−１７１０２号
【特許文献２】実公昭５２−３６６４７号
【特許文献３】実開昭５４−３７３０２号
【特許文献４】意匠登録第４５７６６５号
【特許文献５】意匠登録第４７２３４５号
【特許文献６】意匠登録第５１０４７７号
【特許文献７】意匠登録第５１０４７８号
【特許文献８】意匠登録第５１０４３０号
【特許文献９】意匠登録第５１０４３１号
【発明の概要】
【発明が解決しようとする課題】
【０００５】
本発明者らは、雌雄ファスナ部材をつなぐ紐を細く長くすることにより、思いもよらぬさまざまな応用が可能であることを発見し、本発明を完成させた。
【課題を解決するための手段】
【０００６】
請求項１の発明は、雌ファスナ部材（３Ａ）をところどころに有する第１紐と、雄ファスナ部材（４Ａ）をところどころに有する第２紐からなる紐状のスナップファスナ（１Ａ）であって、前記第１紐における隣り合う前記雌ファスナ部材（３Ａ）同士又は前記第２紐における隣り合う前記雄ファスナ部材（４Ａ）同士をつなぐ紐部分の長さが３〜５０ｃｍであることを特徴とする紐状のスナップファスナ（１Ａ）である。
【０００７】
請求項５の発明は、雌雄ファスナ部材（３Ｂ，４Ｂ）をところどころに混在するように設けた第３紐（２Ｂ）からなる紐状のスナップファスナ（１Ａ）であって、前記第３紐において、隣り合う前記雌雄ファスナ部材（３Ｂ，４Ｂ）同士の間の紐部分の長さが３〜５０ｃｍであることを特徴とする紐状のスナップファスナ（１Ｂ）である。
【０００８】
上記各発明において、前記紐部分の幅が０．５〜３ｍｍであることが好ましい（請求項２，６）。
【０００９】
特に、前記紐部分の幅が０．５〜２ｍｍで、長さが５〜３５ｃｍであることが好ましく（請求項３，７）、より好ましくは、前記紐部分の幅が０．５〜１．５ｍｍ、長さが５〜２０ｃｍである（請求項４，８）。
【００１０】
前記第３紐については、１本の第３紐（２Ｂ）を１カ所で折り曲げて、一対の紐として使用してもよいし（請求項９）、２本の前記第３紐（２Ｂ）を一対の紐として使用してもよい（請求項１０）。
【発明の効果】
【００１１】
本発明によれば、紐の幅が０．５〜３ｍｍ及び／又は紐の長さが３〜５０ｃｍであるので、従来技術では考えられなかったようなさまざまな応用が可能となった。例えば、下記実施例では、女性下着の盗難防止具として使用している。この実例などは従来の紐状のスナップファスナではとても考えられなかったものである。
【図面の簡単な説明】
【００１２】
【図１】本発明第１実施例の紐状スナップファスナの（ａ）左側面図、（ｂ）右側面図、（ｃ）正面図である。
【図２】図１（ｂ）の断面図であり、（ａ）は係合前、（ｂ）は係合後を示す。
【図３】（ａ）本発明第１実施例の使用例を示す正面図、（ｂ）は部分拡大図、（ｃ）は不使用時の状態を示す正面図である。
【図４】（ａ）本発明第１実施例の別の使用例を示す正面図である。（ｂ）は部分拡大図である。
【図５】本発明第２実施例の紐状スナップファスナの（ａ）右側面図、（ｂ）正面図である。
【図６】本発明の第２、第３実施例の使用例を示す斜視図である。
【図７】本発明の第３実施例の紐状スナップファスナの（ａ）右側面図、（ｂ）正面図である。
【発明を実施するための形態】
【００１３】
以下、添付の図面に基づき、本発明の実施態様を説明する。
【実施例１】
【００１４】
図１、図２に示す紐状スナップファスナ１の第１実施例は、紐２とこの紐の両端に設けた雌雄ファスナ部材３，４からなる。紐２と雌雄ファスナ部材３，４は共にプラスチックにより成形することが好ましい。この実施例では、雌ファスナ部材３の直径は約８ｍｍ、雄ファスナ部材４の直径は約５ｍｍである。紐２は直径約１ｍｍであり、長さは約６ｃｍである。
【００１５】
図２に明らかなように、紐２は、雌雄ファスナ部材３，４の中では埋め込まれて一体化している。場合によれば、紐２と雌雄ファスナ部材３，４を一体形成することも可能である。
【００１６】
雌ファスナ部材３は、円板状で、係合側の中央に窪み３１を有する。窪みの途中に段部が形成されていて２段となっており、窪み底部３２の直径が窪み上部３３の直径よりも大きい。
【００１７】
雄ファスナ部材４は、やはり円板状で、係合側に凸部４１を形成している。凸部４１の途中に段部が形成されていて２段となっており、凸部上部４２の直径が凸部底部４３の直径よりも大きい。
【００１８】
雌雄ファスナ部材３，４を指で押して係合させると、凸部４１が窪み３１の中に収納されて、図２（ｂ）の状態となる。係合の強さは一般のスナップファスナ程度で十分であるが、必要があればもう少し強めてもよい。
【００１９】
図３及び図４により、この紐状スナップファスナ１の使用例を説明する。
【００２０】
図３（ａ）〜（ｃ）は女性下着のショーツ５の盗難防止具として用いた例である。このショーツ５の上端部に、上端のみ開口させたポケット５１を設け、そのポケット５１の内部で紐状スナップファスナの紐２を中央の１個所２１で固定する。着用して使用しているときを含め、通常は図３（ｃ）のように、紐２と雌雄ファスナ部材３，４はポケット５１の中に収納された状態であるので、目立たない。また、ポケット生地が介在するので、雌雄ファスナ部材３，４が直接肌に当たることはない。
【００２１】
洗濯をした後、乾かすためにハンガー６に掛けるとき、洗濯挟み７で吊すのはもちろんであるが、それに加えて、盗難防止具１の雌雄ファスナ部材３，４を立ち上げ（図３（ｂ））、ハンガーの底部棒６１を抱え込むようにして、雌雄ファスナ部材同士３，４を係合させる（図３（ａ））。盗難防止具１はショーツ５から突出するリングを形成し、このリングの中にハンガーの底部棒６１が通っている状態となる。
【００２２】
下着泥棒が竿などを使用してこのショーツ５を引っ張って下ろそうとすると、洗濯挟み７はすぐに外れるであろうが、この盗難防止具１は簡単には外せないので、盗難を防止することができる。もちろん雌雄ファスナ部材３，４を直接手で持って引き離すことは可能であるが、一般的に泥棒は見つかることを極度に恐れているので、時間がかかることは避けるといわれている。また、ハンガー６ごと盗むことも可能であるが、犯行の明白な証拠を残すようなことはやはりなるべく避けるであろうと考えられる。
【００２３】
図４は、ブラジャー８の盗難防止具として用いた例である。ポケット８１は乳房カップの間に設けている。盗難防止具１の構成及び使用方法は図３の場合と同様であるので、説明を省略する。
【実施例２】
【００２４】
図５に示す紐状スナップファスナ１Ａの第２実施例は、一対の紐２Ａ（第１紐、第２紐）からなる。第１紐は複数の雌ファスナ部材３Ａをところどころに設けた紐であり、第２紐は、複数の雄ファスナ部材４Ａをところどころに設けた紐である。雌雄ファスナ部材３Ａ，４Ａは第１実施例と同様の構成を有する。１本の紐において、隣り合う雌雄ファスナ部材３Ａ，４Ａ同士の間の紐部分の長さは、約６ｃｍである。紐２Ａの直径は約１ｍｍである。
【００２５】
図６により、複数のショーツ５を盗難防止具１Ａにより同時に盗難から防ぐ方法を説明する。盗難防止具１Ａの２本の第１、第２紐２Ａ，２Ａをショーツ５の胴部開口及び太股部開口を潜らせると共に、ところどころでハンガー６の底部棒６１を抱え込むようにして、雌雄ファスナ部材同士３Ａ，４Ａを係合させる。盗難防止具１Ａはショーツ５から突出する複数のリングを形成し、この中の適当な位置にあるリングにハンガーの底部棒６１が通っている状態となる。
【００２６】
複数のブラジャーの場合は図示していないが、肩紐と本体の間の大きな開口を利用して、盗難防止具１Ａの紐２Ａを通すことができる。
【実施例３】
【００２７】
図７に示す紐状スナップファスナ１Ｂの第３実施例は、やはり一対の紐２Ｂ（第３紐）からなる。双方とも複数の雌雄ファスナ部材３Ｂ，４Ｂを混合させてところどころに設けた紐２Ｂである。雌雄ファスナ部材３Ｂ，４Ｂは第１実施例と同様の構成を有する。１本の紐において、隣り合う雌雄ファスナ部材３Ｂ，４Ｂ同士の間の紐２Ｂの長さは約６ｃｍである。紐２Ｂの直径は約１ｍｍである。
【００２８】
この実施例では１本の紐の中に雌雄ファスナ部材３Ｂ，４Ｂを混在しているので、「一対の紐」２Ｂは２本である必要はない。使用時に紐が２列になっておればよく、分断された２本の紐を使用してもよいし、１本の紐を折り曲げて使用してもよい。
【００２９】
第３実施例も第２実施例と全く同じように使用することができる。
【符号の説明】
【００３０】
１，１Ａ，１Ｂ       紐状のスナップファスナ
２                   紐
２Ａ（一対）         第１紐、第２紐
２Ｂ                 第３紐
３，３Ａ，３Ｂ       雌ファスナ部材
４，４Ａ，４Ｂ       雄ファスナ部材
５     ショーツ
５１   ポケット
６     ハンガー
６１   底部棒
８     ブラジャー
８１   ポケット
【図１】
2014000473.tif 000003
【図２】
2014000473.tif 000004
【図３】
2014000473.tif 000005
【図４】
2014000473.tif 000006
【図５】
2014000473.tif 000007
【図６】
2014000473.tif 000008
【図７】
2014000473.tif 000009